(57)【要約】  本願は、ネットワーク自己組織化の方法及びデバイスを開示し、該方法は、第１のノードが所定条件に基づいて、少なくとも１つの伝送ノードから第２のノードを決定することと、前記第１のノードが前記第２のノードと接続を確立することとを含み、前記第２のノードが前記少なくとも１つの伝送ノードのうちの階層最高の伝送ノードであり、ここで、伝送ノードの階層が高いほど、伝送ノードとアンカーノードとのホップ数が少ないことを示す。これにより、各伝送ノードは、異なるノードの階層に基づいて、複数のノードから適切なノードを選択して接続を要求することで、異なる伝送ノード間の接続を確立することができる。
2021515429.tif 000002
【特許請求の範囲】
【請求項１】
第１のノードが所定条件に基づいて、少なくとも１つの伝送ノードから第２のノードを決定することと、
前記第１のノードが前記第２のノードと接続を確立することとを含み、
前記第２のノードが前記少なくとも１つの伝送ノードのうちの階層最高の伝送ノードであり、伝送ノードの階層が高いほど、伝送ノードとアンカーノードとのホップ数が少ないことを示す
ことを特徴とするネットワーク自己組織化の方法。
【請求項２】
前記第１のノードが所定条件に基づいて、少なくとも１つの伝送ノードから第２のノードを決定する前に、前記方法は、さらに、
前記第１のノードが信号測定を行い、測定結果が予め設定された閾値よりも高い伝送ノードを前記少なくとも１つの伝送ノードとして決定することを含む
ことを特徴とする請求項１に記載のネットワーク自己組織化の方法。
【請求項３】
前記測定結果は、参照信号受信電力ＲＳＲＰ、及び／又は、参照信号受信品質ＲＳＲＱの測定結果である
ことを特徴とする請求項２に記載のネットワーク自己組織化の方法。
【請求項４】
前記予め設定された閾値は、セル選択又は再選択プロセスの参照信号受信電力閾値、及び／又は、セル選択又は再選択プロセスの参照信号受信品質閾値である
ことを特徴とする請求項２又は３に記載のネットワーク自己組織化の方法。
【請求項５】
前記第１のノードが所定条件に基づいて、少なくとも１つの伝送ノードから第２のノードを決定する前に、前記方法は、さらに、
前記第１のノードは、前記予め設定された閾値を示す構成情報を受信することを含む
ことを特徴とする請求項２〜４のいずれか１項に記載のネットワーク自己組織化の方法。
【請求項６】
前記第１のノードが所定条件に基づいて、少なくとも１つの伝送ノードから第２のノードを決定する前に、前記方法は、さらに、
前記第１のノードは、前記第１のノードに予め記憶された、前記予め設定された閾値を取得することを含む
ことを特徴とする請求項２〜４のいずれか１項に記載のネットワーク自己組織化の方法。
【請求項７】
前記第１のノードが前記第２のノードと接続を確立することは、
前記第２のノードの階層が最低階層に達していない場合、前記第１のノードがＵｕインターフェースに基づく接続を前記第２のノードと確立することを含み、
前記最低階層は、各ノードの階層を示す情報フィールドが示すことができる最低階層である
ことを特徴とする請求項１〜６のいずれか１項に記載のネットワーク自己組織化の方法。
【請求項８】
前記方法は、さらに、前記第１のノードが前記第１のノードの階層をブロードキャストすることを含む
ことを特徴とする請求項１〜７のいずれか１項に記載のネットワーク自己組織化の方法。
【請求項９】
前記第２のノードの階層が最低階層に達していない場合、前記第１のノードの階層が前記第２のノードの階層よりも低く、
前記最低階層は、各ノードの階層を示す情報フィールドが示すことができる最低階層である
ことを特徴とする請求項８に記載のネットワーク自己組織化の方法。
【請求項１０】
前記第２のノードの階層が最低階層に達した場合、前記第２のノードの階層を最高階層に更新し、前記第１のノードの階層が更新された前記第２のノードの階層よりも低く、
前記最低階層は、各ノードの階層を示す情報フィールドが示すことができる最低階層であり、前記最高階層は、前記情報フィールドが示すことができる最高階層である
ことを特徴とする請求項８に記載のネットワーク自己組織化の方法。
【請求項１１】
前記第２のノードの階層が最低階層に達した場合、前記第１のノードの階層が最高階層であり、
前記最低階層は、各ノードの階層を示す情報フィールドが示すことができる最低階層であり、前記最高階層は、前記情報フィールドが示すことができる最高階層である
ことを特徴とする請求項８に記載のネットワーク自己組織化の方法。
【請求項１２】
前記第１のノードが前記第２のノードと接続を確立することは、
前記第１のノードがＵｕインターフェースを介して前記第２のノードと接続を確立することを含む
ことを特徴とする請求項９〜１１のいずれか１項に記載のネットワーク自己組織化の方法。
【請求項１３】
前記第２のノードの階層が最低階層に達した場合、前記第１のノードの階層が最低階層であり、
前記最低階層は、各ノードの階層を示す情報フィールドが示すことができる最低階層である
ことを特徴とする請求項８に記載のネットワーク自己組織化の方法。
【請求項１４】
前記第１のノードが前記第２のノードと接続を確立することは、
前記第１のノードがデバイス間Ｄ２Ｄで前記第２のノードと接続を確立することを含む
ことを特徴とする請求項１３に記載のネットワーク自己組織化の方法。
【請求項１５】
前記方法は、さらに、
前記第１のノードが、前記第１のノードの階層と同じである少なくとも１つの他の伝送ノードと、Ｄ２Ｄで接続を確立することを含む
ことを特徴とする請求項１〜１４のいずれか１項に記載のネットワーク自己組織化の方法。
【請求項１６】
前記方法は、さらに、
前記第１のノードが、前記第１のノードの階層と同じである少なくとも１つの他の伝送ノードと、Ｕｕインターフェースに基づく接続を確立することを含む
ことを特徴とする請求項１〜１４のいずれか１項に記載のネットワーク自己組織化の方法。
【請求項１７】
前記方法は、さらに、
前記第１のノードが前記第２のノードにより送信された第１の構成情報を受信することを含み、前記第１の構成情報は、前記第１のノードが、前記第１のノードの階層と同じである少なくとも１つの他の伝送ノードと、Ｕｕインターフェースに基づく接続を確立するように指示する
ことを特徴とする請求項１６に記載のネットワーク自己組織化の方法。
【請求項１８】
前記方法は、さらに、
前記第１のノードが、前記第２のノードの階層と同じである少なくとも１つの他の伝送ノードと、Ｕｕインターフェースに基づく接続を確立することを含む
ことを特徴とする請求項１〜１７のいずれか１項に記載のネットワーク自己組織化の方法。
【請求項１９】
前記方法は、さらに、
前記第１のノードが前記第２のノードにより送信された第２の構成情報を受信することを含み、前記第２の構成情報は、前記第１のノードが、前記第２のノードの階層と同じである少なくとも１つの他の伝送ノードと、Ｕｕインターフェースに基づく接続を確立するように指示する
ことを特徴とする請求項１８に記載のネットワーク自己組織化の方法。
【請求項２０】
前記方法は、さらに、
前記第１のノードが他の伝送ノードと確立された接続を切断することを含む
ことを特徴とする請求項１〜１９のいずれか１項に記載のネットワーク自己組織化の方法。
【請求項２１】
前記方法は、さらに、
前記第１のノードが他の伝送ノードと確立された接続を保持することを含む
ことを特徴とする請求項１〜１９のいずれか１項に記載のネットワーク自己組織化の方法。
【請求項２２】
前記少なくとも１つの伝送ノードが前記第２のノードの階層と同じであるＮ個の伝送ノードをさらに含む場合、前記方法は、さらに、
前記第１のノードが信号測定を行い、測定結果に基づいて、前記Ｎ個の伝送ノードから前記第２のノードを決定することを含み、
前記第２のノードは、前記Ｎ個の伝送ノードのうちの信号測定結果が最高である伝送ノードである
ことを特徴とする請求項１〜２１のいずれか１項に記載のネットワーク自己組織化の方法。
【請求項２３】
第２のノードが第１のノードにより送信された接続確立要求メッセージを受信することと、
前記第２のノードが前記接続確立要求メッセージに応じて、前記第２のノードの階層に基づいて前記第１のノードと接続を確立するかどうかを決定することとを含み、
伝送ノードの階層が高いほど、伝送ノードとアンカーノードとのホップ数が少ないことを示す
ことを特徴とするネットワーク自己組織化の方法。
【請求項２４】
前記第２のノードが前記接続確立要求メッセージに応じて、前記第２のノードの階層に基づいて前記第１のノードと接続を確立するかどうかを決定することは、
前記第２のノードの階層が最低階層に達した場合、前記第２のノードが前記第１のノードとＵｕインターフェースに基づく接続の確立を拒絶すると決定することを含み、
前記最低階層は、各ノードの情報フィールドが示すことができる最低階層である
ことを特徴とする請求項２３に記載のネットワーク自己組織化の方法。
【請求項２５】
前記第２のノードが前記接続確立要求メッセージに応じて、前記第２のノードの階層に基づいて前記第１のノードと接続を確立するかどうかを決定することは、
前記第２のノードの階層が最低階層に達していない場合、前記第２のノードが前記第１のノードと接続を確立すると決定することを含み、
前記第１のノードの階層が前記第２のノードの階層よりも低く、前記最低階層は、各ノードの情報フィールドが示すことができる最低階層である
ことを特徴とする請求項２３に記載のネットワーク自己組織化の方法。
【請求項２６】
前記第２のノードが前記接続確立要求メッセージに応じて、前記第２のノードの階層に基づいて前記第１のノードと接続を確立するかどうかを決定することは、
前記第２のノードの階層が最低階層に達した場合、第２のノードが前記第２のノードの階層を最高階層に更新し、前記第１のノードと接続を確立すると決定することを含み、 
前記第１のノードの階層が更新された前記第２のノードの階層よりも低く、前記最低階層は、各ノードの情報フィールドが示すことができる最低階層であり、前記最高階層は、前記情報フィールドが示すことができる最高階層である
ことを特徴とする請求項２３に記載のネットワーク自己組織化の方法。
【請求項２７】
前記第２のノードが前記接続確立要求メッセージに応じて、前記第２のノードの階層に基づいて前記第１のノードと接続を確立するかどうかを決定することは、
前記第２のノードの階層が最低階層に達した場合、前記第２のノードが前記第１のノードと接続を確立すると決定することを含み、
前記第１のノードの階層が最高階層であり、前記最低階層は、各ノードの階層を示す情報フィールドが示すことができる最低階層であり、前記最高階層は、前記情報フィールドが示すことができる最高階層である
ことを特徴とする請求項２３に記載のネットワーク自己組織化の方法。
【請求項２８】
前記方法は、さらに、
前記第２のノードがＵｕインターフェースを介して前記第１のノードと接続を確立することを含む
ことを特徴とする請求項２５〜２７のいずれか１項に記載のネットワーク自己組織化の方法。
【請求項２９】
前記第２のノードが前記接続確立要求メッセージに応じて、前記第２のノードの階層に基づいて前記第１のノードと接続を確立するかどうかを決定することは、
前記第２のノードの階層が最低階層に達した場合、前記第２のノードがデバイス間Ｄ２Ｄで前記第１のノードと接続を確立することを含み、
前記第１のノードの階層が前記最低階層であり、前記最低階層は、各ノードの階層を示す情報フィールドが示すことができる最低階層である
ことを特徴とする請求項２３に記載のネットワーク自己組織化の方法。
【請求項３０】
前記方法は、さらに、前記第２のノードが前記第２のノードの階層をブロードキャストすることを含む
ことを特徴とする請求項２３〜２９のいずれか１項に記載のネットワーク自己組織化の方法。
【請求項３１】
前記方法は、さらに、
前記第２のノードが前記第１のノードに第１の構成情報を送信することを含み、前記第１の構成情報は、前記第１のノードが、前記第１のノードの階層と同じである少なくとも１つの他の伝送ノードと、Ｕｕインターフェースに基づく接続を確立するように指示する
ことを特徴とする請求項２３〜３０のいずれか１項に記載のネットワーク自己組織化の方法。
【請求項３２】
前記方法は、さらに、
前記第２のノードが前記第１のノードに第２の構成情報を送信することを含み、前記第２の構成情報は、前記第１のノードが、前記第２のノードの階層と同じである少なくとも１つの他の伝送ノードと、Ｕｕインターフェースに基づく接続を確立するように指示する
ことを特徴とする請求項２３〜３１のいずれか１項に記載のネットワーク自己組織化の方法。
【請求項３３】
決定ユニットと処理ユニットと、を備え、第１のノードデバイスとするノードデバイスであって、
前記決定ユニットは、所定条件に基づいて、少なくとも１つのノードデバイスから第２のノードデバイスを決定するように構成され、前記第２のノードデバイスが前記少なくとも１つのノードデバイスのうちの階層最高のノードデバイスであり、ノードデバイスの階層が高いほど、ノードデバイスとアンカーノードデバイスとのホップ数が少ないことを示し、
前記処理ユニットは、前記決定ユニットにより決定された前記第２のノードデバイスと接続を確立するように構成される
ことを特徴とするノードデバイス。
【請求項３４】
前記第１のノードデバイスが測定ユニットをさらに含み、
前記測定ユニットは、信号測定を行うように構成され、
前記決定ユニットは、さらに、測定結果が予め設定された閾値よりも高いノードデバイスを前記少なくとも１つのノードデバイスとして決定するように構成される
ことを特徴とする請求項３３に記載のノードデバイス。
【請求項３５】
前記測定結果は、参照信号受信電力ＲＳＲＰ、及び／又は、参照信号受信品質ＲＳＲＱの測定結果である
ことを特徴とする請求項３４に記載のノードデバイス。
【請求項３６】
前記予め設定された閾値は、セル選択又は再選択プロセスの参照信号受信電力閾値、及び／又は、セル選択又は再選択プロセスの参照信号受信品質閾値である
ことを特徴とする請求項３４又は３５に記載のノードデバイス。
【請求項３７】
前記第１のノードデバイスが受信ユニットをさらに含み、
前記受信ユニットは、構成情報を受信するように構成され、前記構成情報が前記予め設定された閾値を示す
ことを特徴とする請求項３４〜３６のいずれか１項に記載のノードデバイス。
【請求項３８】
前記第１のノードデバイスが取得ユニットをさらに含み、
前記取得ユニットは、前記第１のノードデバイスに予め記憶された、前記予め設定された閾値を取得するように構成される
ことを特徴とする請求項３４〜３６のいずれか１項に記載のノードデバイス。
【請求項３９】
前記処理ユニットは、
前記第２のノードデバイスの階層が最低階層に達していない場合、前記第１のノードデバイスが前記第２のノードデバイスとＵｕインターフェースに基づく接続を確立するように構成され、
前記最低階層は、各ノードデバイスの階層を示す情報フィールドが示すことができる最低階層である
ことを特徴とする請求項３４〜３８のいずれか１項に記載のノードデバイス。
【請求項４０】
前記第１のノードデバイスが送信ユニットをさらに含み、
前記送信ユニットは、前記第１のノードデバイスの階層をブロードキャストするように構成される
ことを特徴とする請求項３３〜３９のいずれか１項に記載のノードデバイス。
【請求項４１】
前記第２のノードデバイスの階層が最低階層に達していない場合、前記第１のノードデバイスの階層が前記第２のノードデバイスの階層よりも低く、
前記最低階層は、各ノードデバイスの階層を示す情報フィールドが示すことができる最低階層である
ことを特徴とする請求項４０に記載のノードデバイス。
【請求項４２】
前記第２のノードの階層が最低階層に達した場合、前記第１のノードの階層が最高階層であり、
前記最低階層は、各ノードデバイスの階層を示す情報フィールドが示すことができる最低階層であり、前記最高階層は、前記情報フィールドが示すことができる最高階層である
ことを特徴とする請求項４０に記載のノードデバイス。
【請求項４３】
前記第２のノードデバイスの階層が最低階層に達した場合、前記第２のノードデバイスの階層を最高階層に更新し、前記第１のノードデバイスの階層が更新された前記第２のノードデバイスの階層よりも低く、
前記最低階層は、各ノードデバイスの階層を示す情報フィールドが示すことができる最低階層であり、前記最高階層は、前記情報フィールドが示すことができる最高階層である
ことを特徴とする請求項４０に記載のノードデバイス。
【請求項４４】
前記処理ユニットは、
Ｕｕインターフェースを介して前記第２のノードデバイスと接続を確立するように構成される
ことを特徴とする請求項４１〜４３のいずれか１項に記載のノードデバイス。
【請求項４５】
前記第２のノードデバイスの階層が最低階層に達した場合、前記第１のノードデバイスの階層が最低階層であり、
前記最低階層は、各ノードデバイスの階層を示す情報フィールドが示すことができる最低階層である
ことを特徴とする請求項４０に記載のノードデバイス。
【請求項４６】
前記処理ユニットは、
デバイス間Ｄ２Ｄで前記第２のノードデバイスと接続を確立するように構成される
ことを特徴とする請求項４５に記載のノードデバイス。
【請求項４７】
前記処理ユニットは、さらに、
前記第１のノードの階層と同じである少なくとも１つの他のノードデバイスと、Ｄ２Ｄで接続を確立するように構成される
ことを特徴とする請求項３３〜４６のいずれか１項に記載のノードデバイス。
【請求項４８】
前記処理ユニットは、さらに、
前記第１のノードの階層と同じである少なくとも１つの他のノードデバイスと、Ｕｕインターフェースに基づく接続を確立するように構成される
ことを特徴とする請求項３３〜４６のいずれか１項に記載のノードデバイス。
【請求項４９】
前記第１のノードデバイスが受信ユニットをさらに含み、
前記受信ユニットは、前記第２のノードにより送信された第１の構成情報を受信するように構成され、前記第１の構成情報は、前記第１のノードが、前記第１のノードの階層と同じである少なくとも１つの他の伝送ノードと、Ｕｕインターフェースに基づく接続を確立するように指示する
ことを特徴とする請求項４８に記載のノードデバイス。
【請求項５０】
前記処理ユニットは、さらに、
前記第２のノードの階層と同じである少なくとも１つの他の伝送ノードと、Ｕｕインターフェースに基づく接続を確立するように構成される
ことを特徴とする請求項３３〜４９のいずれか１項に記載のノードデバイス。
【請求項５１】
前記第１のノードデバイスが受信ユニットをさらに含み、
前記受信ユニットは、前記第２のノードにより送信された第２の構成情報を受信するように構成され、前記第２の構成情報は、前記第１のノードが前記第２のノードの階層と同じである少なくとも１つの他の伝送ノードと、Ｕｕインターフェースに基づく接続を確立するように指示する
ことを特徴とする請求項５０に記載のノードデバイス。
【請求項５２】
前記処理ユニットは、さらに、
他のノードデバイスと確立された接続を切断するように構成される
ことを特徴とする請求項３３〜５１のいずれか１項に記載のノードデバイス。
【請求項５３】
前記処理ユニットは、さらに、
他のノードデバイスと確立された接続を保持するように構成される
ことを特徴とする請求項３３〜５１のいずれか１項に記載のノードデバイス。
【請求項５４】
前記第１のノードデバイスが測定ユニットをさらに含み、前記少なくとも１つのノードデバイスが前記第２のノードデバイスの階層と同じであるＮ個のノードデバイスを含む場合、
前記測定ユニットは、信号測定を行うように構成され、
前記決定ユニットは、測定結果に基づいて、前記Ｎ個のノードデバイスから前記第２のノードデバイスを決定するように構成され、前記第２のノードデバイスは、前記Ｎ個のノードデバイスのうちの信号測定結果が最高である伝送ノードである
ことを特徴とする請求項３３〜５３のいずれか１項に記載のノードデバイス。
【請求項５５】
受信ユニットと決定ユニットとを備え、第２のノードデバイスとするノードデバイスであって、
前記受信ユニットは、第１のノードデバイスにより送信された接続確立要求メッセージを受信するように構成され、
決定ユニットは、前記受信ユニットにより送信された前記接続確立要求メッセージに応じて、前記第２のノードデバイスの階層に基づいて前記第１のノードデバイスと接続を確立するかどうかを決定するように構成され、ノードデバイスの階層が高いほど、ノードデバイスとアンカーノードデバイスとのホップ数が少ないことを示す
ことを特徴とするノードデバイス。
【請求項５６】
前記決定ユニットは、
前記第２のノードデバイスの階層が最低階層に達した場合、前記第１のノードデバイスとＵｕインターフェースに基づく接続の確立を拒絶すると決定するように構成され、
前記最低階層は、各ノードデバイスの情報フィールドが示すことができる最低階層である
ことを特徴とする請求項５５に記載のノードデバイス。
【請求項５７】
前記決定ユニットは、
前記第２のノードデバイスの階層が最低階層に達していない場合、前記第１のノードデバイスと接続を確立すると決定するように構成され、前記第１のノードデバイスの階層が前記第２のノードデバイスの階層よりも低く、 
前記第１のノードデバイスの階層が前記第２のノードデバイスの階層よりも低く、前記最低階層は、各ノードデバイスの情報フィールドが示すことができる最低階層である
ことを特徴とする請求項５５に記載のノードデバイス。
【請求項５８】
前記決定ユニットは、
前記第２のノードデバイスの階層が最低階層に達した場合、前記第２のノードデバイスの階層を最高階層に更新し、前記第１のノードデバイスと接続を確立すると決定するように構成され、 
前記第１のノードデバイスの階層が更新された前記第２のノードデバイスの階層よりも低く、前記最低階層は、各ノードデバイスの情報フィールドが示すことができる最低階層であり、前記最高階層は、前記情報フィールドが示すことができる最高階層である
ことを特徴とする請求項５５に記載のノードデバイス。
【請求項５９】
前記決定ユニットは、
前記第２のノードデバイスの階層が最低階層に達した場合、前記第１のノードデバイスと接続を確立すると決定するように構成され、
前記第１のノードデバイスの階層が最高階層であり、前記最低階層は、各ノードの階層を示す情報フィールドが示すことができる最低階層であり、前記最高階層は、前記情報フィールドが示すことができる最高階層である
ことを特徴とする請求項５７に記載のノードデバイス。
【請求項６０】
前記第２のノードデバイスが処理ユニットをさらに含み、
前記処理ユニットは、Ｕｕインターフェースを介して前記第１のノードデバイスと接続を確立するように構成される
ことを特徴とする請求項５７〜５９のいずれか１項に記載のノードデバイス。
【請求項６１】
前記決定ユニットは、
前記第２のノードデバイスの階層が最低階層に達した場合、デバイス間Ｄ２Ｄで前記第１のノードデバイスと接続を確立すると決定するように構成され、
前記第１のノードデバイスの階層が前記最低階層であり、前記最低階層は、各ノードデバイスの階層を示す情報フィールドが示すことができる最低階層である
ことを特徴とする請求項５５に記載のノードデバイス。
【請求項６２】
前記第２のノードデバイスは、前記第２のノードデバイスの階層をブロードキャストするように構成される送信ユニットをさらに含む
ことを特徴とする請求項５５〜６１のいずれか１項に記載のノードデバイス。
【請求項６３】
前記第１のノードデバイスが送信ユニットをさらに含み、
前記送信ユニットが前記第１のノードデバイスに第１の構成情報を送信するように構成され、前記第１の構成情報は、前記第１のノードデバイスが前記第１のノードデバイスの階層と同じである少なくとも１つの他のノードデバイスと、Ｕｕインターフェースに基づく接続を確立するように指示する
ことを特徴とする請求項５５〜６２のいずれか１項に記載のノードデバイス。
【請求項６４】
前記第１のノードデバイスが送信ユニットをさらに含み、
前記送信ユニットが前記第１のノードデバイスに第２の構成情報を送信するように構成され、前記第２の構成情報は、前記第１のノードデバイスが前記第２のノードデバイスの階層と同じである少なくとも１つの他のノードデバイスと、Ｕｕインターフェースに基づく接続を確立するように指示する
ことを特徴とする請求項５５〜６３のいずれか１項に記載のノードデバイス。
【発明の詳細な説明】
【技術分野】
【０００１】
本願の実施例は、通信分野に関し、具体的に、ネットワーク自己組織化の方法及びデバイスに関する。
【背景技術】
【０００２】
５Ｇシステム、いわゆる新ラジオ( Ｎｅｗ Ｒａｄｉｏ、ＮＲ )システムでは、無線中継方式によるデータ伝送が可能であるため、異なるノード間でどのように中継接続を確立するかが課題となる。
【発明の概要】
【０００３】
本願の実施例は、異なるノードの間で接続を確立することができるネットワーク自己組織化の方法及びデバイスを提供する。
【０００４】
第１の態様は、データ伝送方法を提供し、第１のノードが所定条件に基づいて、少なくとも１つの伝送ノードから第２のノードを決定することと、前記第１のノードが前記第２のノードと接続を確立することとを含み、前記第２のノードが前記少なくとも１つの伝送ノードのうちの階層最高の伝送ノードであり、ここで、伝送ノードの階層が高いほど、伝送ノードとアンカーノードとのホップ数が少ないことを示す。
【０００５】
そして、各伝送ノードは、異なるノードの階層に基づき適切なノードを選択して接続を要求することで、異なる伝送ノード間の接続を確立することができる。
【０００６】
ある実現可能な形態において、前記第１のノードが所定条件に基づいて、少なくとも１つの伝送ノードから第２のノードを決定する前に、前記方法は、さらに、前記第１のノードが信号測定を行い、測定結果が予め設定された閾値よりも高い伝送ノードを前記少なくとも１つの伝送ノードとして決定することを含む。
【０００７】
ある実現可能な形態において、前記測定結果は、参照信号受信電力ＲＳＲＰ、及び／又は、参照信号受信品質ＲＳＲＱの測定結果である。
【０００８】
ある実現可能な形態において、前記予め設定された閾値は、セル選択又は再選択プロセスの参照信号受信電力閾値、及び／又は、セル選択又は再選択プロセスの参照信号受信品質閾値である。
【０００９】
ある実現可能な形態において、前記第１のノードが所定条件に基づいて、少なくとも１つの伝送ノードから第２のノードを決定する前に、前記方法は、さらに、前記第１のノードは、前記予め設定された閾値を示す構成情報を受信することを含む。
【００１０】
ある実現可能な形態において、前記第１のノードが所定条件に基づいて、少なくとも１つの伝送ノードから第２のノードを決定する前に、前記方法は、さらに、前記第１のノードは、前記第１のノードに予め記憶された、前記予め設定された閾値を取得することを含む。
【００１１】
ある実現可能な形態において、前記第１のノードが前記第２のノードと接続を確立することは、前記第２のノードの階層が最低階層に達していない場合、前記第１のノードがＵｕインターフェースに基づく接続を前記第２のノードと確立することを含み、ここで、前記最低階層は、各ノードの階層を示す情報フィールドが示すことができる最低階層である。
【００１２】
ある実現可能な形態において、前記方法は、さらに、前記第１のノードが前記第１のノードの階層をブロードキャストすることを含む。
【００１３】
ある実現可能な形態において、前記第２のノードの階層が最低階層に達していない場合、前記第１のノードの階層が前記第２のノードの階層よりも低く、ここで、前記最低階層は、各ノードの階層を示す情報フィールドが示すことができる最低階層である。
【００１４】
ある実現可能な形態において、前記第２のノードの階層が最低階層に達した場合、前記第２のノードの階層を最高階層に更新し、前記第１のノードの階層が更新された前記第２のノードの階層よりも低く、ここで、前記最低階層は、各ノードの階層を示す情報フィールドが示すことができる最低階層であり、前記最高階層は、前記情報フィールドが示すことができる最高階層である。
【００１５】
ある実現可能な形態において、前記第２のノードの階層が最低階層に達した場合、前記第１のノードの階層が最高階層であり、ここで、前記最低階層は、各ノードの階層を示す情報フィールドが示すことができる最低階層であり、前記最高階層は、前記情報フィールドが示すことができる最高階層である。
【００１６】
ある実現可能な形態において、前記第１のノードが前記第２のノードと接続を確立することは、前記第１のノードがＵｕインターフェースを介して前記第２のノードと接続を確立することを含む。
【００１７】
ある実現可能な形態において、前記第２のノードの階層が最低階層に達した場合、前記第１のノードの階層が最低階層であり、ここで、前記最低階層は、各ノードの階層を示す情報フィールドが示すことができる最低階層である。
【００１８】
ある実現可能な形態において、前記第１のノードが前記第２のノードと接続を確立することは、前記第１のノードがデバイス間Ｄ２Ｄで前記第２のノードと接続を確立することを含む。
【００１９】
ある実現可能な形態において、前記方法は、さらに、前記第１のノードが、前記第１のノードの階層と同じである少なくとも１つの他の伝送ノードと、Ｄ２Ｄで接続を確立することを含む。
【００２０】
ある実現可能な形態において、前記方法は、さらに、前記第１のノードが、前記第１のノードの階層と同じである少なくとも１つの他の伝送ノードと、Ｕｕインターフェースに基づく接続を確立することを含む。
【００２１】
ある実現可能な形態において、前記第１のノードが前記第２のノードにより送信された第１の構成情報を受信することを含み、前記第１の構成情報は、前記第１のノードが、前記第１のノードの階層と同じである少なくとも１つの他の伝送ノードと、Ｕｕインターフェースに基づく接続を確立するように指示する。
【００２２】
ある実現可能な形態において、前記方法は、さらに、前記第１のノードが、前記第２のノードの階層と同じである少なくとも１つの他の伝送ノードと、Ｕｕインターフェースに基づく接続を確立することを含む。
【００２３】
ある実現可能な形態において、前記方法は、さらに、前記第１のノードが前記第２のノードにより送信された第２の構成情報を受信することを含み、前記第２の構成情報は、前記第１のノードが、前記第２のノードの階層と同じである少なくとも１つの他の伝送ノードと、Ｕｕインターフェースに基づく接続を確立するように指示する。
【００２４】
ある実現可能な形態において、前記方法は、さらに、前記第１のノードが他の伝送ノードと確立された接続を切断することを含む。
【００２５】
ある実現可能な形態において、前記方法は、さらに、前記第１のノードが他の伝送ノードと確立された接続を保持することを含む。
【００２６】
ある実現可能な形態において、前記少なくとも１つの伝送ノードが前記第２のノードの階層と同じであるＮ個の伝送ノードをさらに含む場合、前記方法は、さらに、前記第１のノードが信号測定を行い、測定結果に基づいて、前記Ｎ個の伝送ノードから前記第２のノードを決定することを含み、ここで、前記第２のノードは、前記Ｎ個の伝送ノードのうちの信号測定結果が最高である伝送ノードである。
【００２７】
第２の態様は、データ伝送方法を提供し、第２のノードが第１のノードにより送信された接続確立要求メッセージを受信することと、前記第２のノードが前記接続確立要求メッセージに応じて、前記第２のノードの階層に基づいて前記第１のノードと接続を確立するかどうかを決定することとを含み、ここで、伝送ノードの階層が高いほど、伝送ノードとアンカーノードとのホップ数が少ないことを示す。
【００２８】
そして、各ノードは、自分の階層に基づき、他のノードと接続を確立するかどうかを決定することで、異なる伝送ノード間の接続を確立することができる。
【００２９】
ある実現可能な形態において、前記第２のノードが前記接続確立要求メッセージに応じて、前記第２のノードの階層に基づいて前記第１のノードと接続を確立するかどうかを決定することは、前記第２のノードの階層が最低階層に達した場合、前記第２のノードが前記第１のノードとＵｕインターフェースに基づく接続の確立を拒絶すると決定することを含み、ここで、前記最低階層は、各ノードの情報フィールドが示すことができる最低階層である。
【００３０】
ある実現可能な形態において、前記第２のノードが前記接続確立要求メッセージに応じて、前記第２のノードの階層に基づいて前記第１のノードと接続を確立するかどうかを決定することは、前記第２のノードの階層が最低階層に達していない場合、前記第２のノードが前記第１のノードと接続を確立すると決定することを含み、ここで、前記第１のノードの階層が前記第２のノードの階層よりも低く、前記最低階層は、各ノードの情報フィールドが示すことができる最低階層である。
【００３１】
ある実現可能な形態において、前記第２のノードが前記接続確立要求メッセージに応じて、前記第２のノードの階層に基づいて前記第１のノードと接続を確立するかどうかを決定することは、前記第２のノードの階層が最低階層に達した場合、第２のノードが前記第２のノードの階層を最高階層に更新し、前記第１のノードと接続を確立すると決定することを含み、ここで、前記第１のノードの階層が更新された前記第２のノードの階層よりも低く、前記最低階層は、各ノードの情報フィールドが示すことができる最低階層であり、前記最高階層は、各ノードの情報フィールドが示すことができる最高階層である。
【００３２】
ある実現可能な形態において、前記第２のノードが前記接続確立要求メッセージに応じて、前記第２のノードの階層に基づいて前記第１のノードと接続を確立するかどうかを決定することは、前記第２のノードの階層が最低階層に達した場合、前記第２のノードが前記第１のノードと接続を確立すると決定することを含み、ここで、前記第１のノードの階層が最高階層であり、前記最低階層は、各ノードの階層を示す情報フィールドが示すことができる最低階層であり、前記最高階層は、前記情報フィールドが示すことができる最高階層である。
【００３３】
ある実現可能な形態において、前記方法は、さらに、前記第２のノードがＵｕインターフェースを介して前記第１のノードと接続を確立することを含む。
【００３４】
ある実現可能な形態において、前記第２のノードが前記第２のノードの階層に基づいて、前記接続確立要求に従って前記第１のノードと接続を確立するかどうかを決定することは、前記第２のノードの階層が最低階層に達した場合、前記第２のノードがデバイス間Ｄ２Ｄで前記第１のノードと接続を確立することを含み、ここで、前記第１のノードの階層が前記最低階層であり、前記最低階層は、各ノードの階層を示す情報フィールドが示すことができる最低階層である。
【００３５】
ある実現可能な形態において、前記方法は、さらに、前記第２のノードが前記第２のノードの階層をブロードキャストすることを含む。
【００３６】
ある実現可能な形態において、前記方法は、さらに、前記第２のノードが前記第１のノードに第１の構成情報を送信することを含み、前記第１の構成情報は、前記第１のノードが、前記第１のノードの階層と同じである少なくとも１つの他の伝送ノードと、Ｕｕインターフェースに基づく接続を確立するように指示する。
【００３７】
ある実現可能な形態において、前記方法は、さらに、前記第２のノードが前記第１のノードに第２の構成情報を送信することを含み、前記第２の構成情報は、前記第１のノードが、前記第２のノードの階層と同じである少なくとも１つの他の伝送ノードと、Ｕｕインターフェースに基づく接続を確立するように指示する。
【００３８】
第３の態様は、上記第１の態様または第１の態様の任意の代替的な実装態様における第１のノードの動作を実行することができる伝送ノードを提供する。具体的には、伝送ノードは、上記の第１の態様または第１の態様の任意の可能な実装形態における第１のノードの動作を実行するためのモジュールユニットを含み得る。
【００３９】
第４の態様は、上記第２の態様または第２の態様の任意の代替的な実装態様における第２のノードの動作を実行することができる伝送ノードを提供する。具体的には、この伝送ノードは、上記の第２の態様または第２の態様の任意の可能な実装形態における第２のノードの動作を実行するためのモジュールユニットを含み得る。
【００４０】
第５の態様は、プロセッサと、送受信機と、メモリとを備える伝送ノードを提供する。プロセッサ、送受信機、およびメモリは、内部接続経路を介して互いに通信する。メモリは、命令を記憶するために使用され、プロセッサは、メモリに記憶された命令を実行するために使用される。プロセッサがメモリに記憶された命令を実行すると、伝送ノードに、第１の態様または第１の態様の任意の可能な実装形態における方法を実行させるか、または、第３の態様によって提供される第１のノードを実行させる。
【００４１】
第６の態様は、プロセッサと、送受信機と、メモリとを備える伝送ノードを提供する。プロセッサ、送受信機、およびメモリは、内部接続経路を介して互いに通信する。メモリは、命令を記憶するために使用され、プロセッサは、メモリに記憶された命令を実行するために使用される。プロセッサがメモリに記憶された命令を実行すると、伝送ノードに、第２の態様または第２の態様の任意の可能な実装形態における方法を実行させるか、または、第４の態様によって提供される第２のノードを実行させる。
【００４２】
第７の態様は、入力インターフェースと、出力インターフェースと、プロセッサと、メモリとを含むシステムチップを提供し、プロセッサは、メモリに記憶された命令を実行し、プロセッサは、命令が実行されたときに、第１の態様または第１の態様の任意の可能な実装形態における方法を実装し得る。
【００４３】
第８の態様は、入力インターフェースと、出力インターフェースと、プロセッサと、メモリとを含むシステムチップを提供し、プロセッサは、メモリに記憶された命令を実行し、プロセッサは、命令が実行されたときに、第２の態様または第２の態様の任意の可能な実装形態における方法を実装し得る。
【００４４】
第９の態様は、命令を含むコンピュータプログラム製品を提供し、コンピュータプログラム製品がコンピュータ上で実行されると、コンピュータに、第１の態様または第１の態様の任意の可能な実装形態における方法を実行させる。
【００４５】
第１０の態様は、命令を含むコンピュータプログラム製品を提供し、コンピュータプログラム製品がコンピュータ上で実行されると、コンピュータに、第２の態様または第２の態様の任意の可能な実装形態における方法を実行させる。
【図面の簡単な説明】
【００４６】
【図１】本願の実施例における無線通信システムの模式図である。
【図２】本願の実施例におけるネットワーク自己組織化の方法のフローチャートである。
【図３】本願の他の実施例におけるネットワーク自己組織化の方法のフローチャートである。
【図４】本願の実施例におけるノードデバイスのブロック図である。
【図５】本願の他の実施例におけるノードデバイスのブロック図である。
【図６】本願の実施例におけるシステムチップのブロック図である。
【図７】本願の実施例における通信デバイスのブロック図である。
【発明を実施するための形態】
【００４７】
以下、本願の実施例について図面を参照して説明する。
【００４８】
なお、本願の実施例の技術は、例えば、移動体通信システムＧＳＭ（Ｇｌｏｂａｌ Ｓｙｓｔｅｍ ｏｆ Ｍｏｂｉｌｅ Ｃｏｍｍｕｎｉｃａｔｉｏｎ）、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、ロングタームエボリューション( Ｌｏｎｇ Ｔｅｒｍ Ｅｖｏｌｕｔｉｏｎ、ＬＴＥ )システム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割複信( Ｔｉｍｅ  Ｄｉｖｉｓｉｏｎ  Ｄｕｐｌｅｘ、ＴＤＤ )、ユニバーサル移動体通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、将来の５Ｇ通信システム等の様々な通信システムに適用可能である。
【００４９】
本願は、端末デバイスに関連して様々な実施例を説明している。端末デバイスは、ユーザ装置( Ｕｓｅｒ Ｅｑｕｉｐｍｅｎｔ、ＵＥ )、アクセス端末、ユーザ装置、ユーザ局、移動局、リモート端末、モバイル装置、ユーザ端末、無線通信デバイス、ユーザエージェント又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来の陸上公衆移動通信ネットワーク( Ｐｕｂｌｉｃ Ｌａｎｄ Ｍｏｂｉｌｅ Ｎｅｔｗｏｒｋ、ＰＬＭＮ )ネットワークにおける端末デバイスなどであり得る。
【００５０】
本開示は、ネットワークデバイスに関連して様々な実施例を説明する。ネットワークデバイスは、端末デバイスと通信するためのデバイスであってもよく、例えば、ＧＳＭシステムまたはＣＤＭＡ ( Ｂａｓｅ Ｔｒａｎｓｃｅｉｖｅｒ Ｓｔａｔｉｏｎ、ＢＴＳ )における基地局であってもよく、ＷＣＤＭＡ システムにおける基地局( ＮｏｄｅＢ、ＮＢ )であってもよく、ＬＴＥシステムにおける発展型基地局( Ｅｖｏｌｕｔｉｏｎａｌ Ｎｏｄｅ Ｂ、ｅＮＢ又はｅＮｏｄｅＢ )であってもよく、または、中継局、アクセスポイント、車載装置、ウェアラブル装置、および将来の５Ｇネットワークにおけるネットワーク側デバイスまたは将来の発展型PLMNネットワークにおけるネットワーク側デバイスなどであってもよい。
【００５１】
ＮＲシステムでは、無線中継によってデータ伝送を行うことができ、異なる伝送ノード間を接続して、トポロジーネットワークを形成することができる。１つの中継ノードのデータは、複数の伝送によってアンカーノードに伝送され、アンカーノードによってコアネットワークに伝送する。
【００５２】
例えば、図１に示すような本願の実施例が適用される１つの無線通信システム１００を示している。この無線通信システム１００は、有線接続によってコアネットワークに接続され得るアンカーノード１１０を含み得る複数の伝送ノードを含み、この無線通信システム１００は、さらに、無線接続によって接続され得る中継ノード１２０〜中継ノード１８０などの複数の中継ノードを含み、この中継ノード１２０がアンカーノード１１０に無線で接続され、１つのノードから他のノードへのデータ伝送は、ホップまたはマルチホップを経ることができる。この伝送ノードは、ネットワークデバイスまたは端末デバイスであり得る。図１において、接続された２つの中継ノード１２０のうちアンカーノード１１０との間のホップ数がより少ない中継ノードは、アンカーノード１１０との間のホップ数がより多い中継ノードの親ノードであると考えることができる。同様に、アンカーノード１１０との間のホップ数がより多い中継ノードは、アンカーノード１１０との間のホップ数がより少ない中継ノードの子ノードである。
【００５３】
ネットワークの組織化の過程で、このトポロジーネットワークを形成するためには、各伝送ノードが他のノードとの接続を確立する必要があり、本願の実施例では、各伝送ノードが異なるノードの階層に基づいて適切なノードを選択して接続の確立を要求することで、異なる伝送ノード間の接続の確立を実現する。
【００５４】
本願の実施例におけるネットワークは、パブリック地上波モバイルネットワーク( Ｐｕｂｌｉｃ Ｌａｎｄ Ｍｏｂｉｌｅ Ｎｅｔｗｏｒｋ、ＰＬＭＮ )またはデバイスツーデバイス( Ｄｅｖｉｃｅ ｔｏ Ｄｅｖｉｃｅ、Ｄ２Ｄ )ネットワークまたはマシンツーマシン/人間( Ｍａｃｈｉｎｅ ｔｏ Ｍａｃｈｉｎｅ / Ｍａｎ、Ｍ２Ｍ )ネットワークまたは他のネットワークを指すことができる。
【００５５】
本願の実施例における伝送ノード(単に中継ノードまたはノードともいう)は、コアネットワークデバイスまたはアクセスネットワークデバイスなどのネットワークデバイスであってもよいし、車載端末またはハンディ端末などの端末デバイスであってもよい。
【００５６】
図２は、本願の実施例のネットワーク自己組織化方法の概略的なフローチャートである。図１に示される方法は、ネットワークデバイス又は端末デバイスであり得る第１のノードによって実行され得る。この第１のノードは、例えば、図１のいずれかの伝送ノードである。図２に示すように、ネットワーク自己組織化の方法は、以下のステップを含む。
【００５７】
２１０において、第１のノードが所定条件に基づいて、少なくとも１つの伝送ノードから第２のノードを決定し、該第２のノードは、該少なくとも１つの伝送ノードのうちの階層最高の伝送ノードである。
【００５８】
ここで、伝送ノードの階層が高いほど、伝送ノードとアンカーノードとのホップ数が少ないことを示す。
【００５９】
２２０において、該第１のノードは該第２のノードと接続を確立する。
【００６０】
具体的に、第１のノードは、所定条件に基づいて該少なくとも１つの伝送ノードを決定し、該少なくとも１つの伝送ノードから階層最高の伝送ノードを接続される第２のノードとして選定することで、該第２のノードと無線接続を確立する。
【００６１】
ここで、任意選択で、該第１のノードが該第２のノードと接続を確立することは、該第２のノードの階層が最低階層に達していない場合、該第１のノードが該第２のノードとＵｕインターフェースに基づく接続を確立する。
【００６２】
即ち、第２のノードの階層が最低階層である場合、第１のノードは、第２のノードとの間のＵｕインターフェースに基づく接続の確立を開始しない。しかしながら、第１のノードと第２のノードとの間の接続がＤ２Ｄ方式などの他の方式によって確立される可能性を排除するものではない。
【００６３】
任意選択で、いずれかの伝送ノードの階層の情報は、１つの情報フィールドによって示されてもよい。
【００６４】
例えば、この情報フィールドが８ビットで構成される場合、合計２５６の階層を表すことができ、この情報フィールドの値が小さいほど、伝送ノードの階層が高いこと、すなわち、アンカーノードに対するホップ数が少ないことを示す。そして、情報フィールド上の値が０である場合、アンカーノードに対する伝送ノードのホップ数が１であり、すなわち、この伝送ノードとこのアンカーノードとの間の直接無線接続を示し、この情報フィールドの値が２５５である場合、アンカーノードに対する伝送ノードのホップ数が２５６であることを示すことができる。または、この情報フィールドの値が０である場合、この伝送ノードがアンカーノードであることを示し、この情報フィールドの値が２５５である場合、アンカーノードに対する伝送ノードのホップ数が２５５であることを示すことができる。
【００６５】
本願の実施例におけるアンカーノード( ａｎｃｈｏｒ ｎｏｄｅ )は、固定ノード( ｄｏｎｏｒ ｎｏｄｅ )とも呼ぶことができ、例えば、このコアネットワークとの間に直接有線接続されるノードである。
【００６６】
任意選択で、２１０の前に、該方法は、さらに、第１のノードが信号測定を行い、測定結果が予め設定された閾値よりも高い伝送ノードを該少なくとも１つの伝送ノードとして決定することを含む。
【００６７】
例えば、該第１のノードは、いくつかの伝送ノードの参照信号の受信電力及び／又は受信品質を測定し、対応する測定結果、即ち参照信号受信電力（Ｒｅｆｅｒｅｎｃｅ Ｓｉｇｎａｌ Ｒｅｃｅｉｖｉｎｇ Ｐｏｗｅｒ、ＲＳＲＰ）及び／又は参照信号受信品質（Ｒｅｆｅｒｅｎｃｅ Ｓｉｇｎａｌ Ｒｅｃｅｉｖｉｎｇ Ｑｕａｌｉｔｙ、ＲＳＲＱ）を取得し、測定結果が予め設定された閾値よりも高い伝送ノードを候補の該少なくとも１つの伝送ノードとして決定する。
【００６８】
該第１のノードは、該予め設定された閾値を示す構成情報を受信することができ、または、該予め設定された閾値は、第１のノードとネットワークデバイスとの間で予め取り決められ、例えば、プロトコル等で規定され、この場合、該第１のノードは、該第１のノードに予め記憶された、該予め設定された閾値を取得することができる。
【００６９】
任意選択で、該予め設定された閾値は、セル選択又は再選択プロセスの参照信号受信電力閾値、及び／又は、セル選択又は再選択プロセスの参照信号受信品質閾値であっても良い。
【００７０】
例えば、取得された測定結果がＲＳＲＰである場合、該第１のノードは、ＲＳＲＰ測定結果が該参照信号受信電力閾値よりも高い伝送ノードを候補の該少なくとも１つの伝送ノードとして、該少なくとも１つの伝送ノードから階層最高の伝送ノードを選択して接続確立を開始する。
【００７１】
また、例えば、取得された測定結果がＲＳＲＱである場合、該第１のノードは、ＲＳＲＱ測定結果が該参照信号受信品質閾値よりも高い伝送ノードを、候補の該少なくとも１つの伝送ノードとして、該少なくとも１つの伝送ノードから階層最高の伝送ノードを選択して接続確立を開始する。
【００７２】
また、例えば、取得された測定結果がノードのＲＳＲＰ及びＲＳＲＱを含む場合、候補の該少なくとも１つの伝送ノードの各ノードのＲＳＲＰが該参照信号受信電力閾値よりも高く、且つ、各ノードのＲＳＲＱが該参照信号受信品質閾値よりも高い。
【００７３】
セル選択プロセスにおける信号受信電力は、
Srxlev = Qrxlevmeas- (Qrxlevmin + Qrxlevminoffset) - Pcompensationであり、
ここで、Srxlev＞０である。Qrxlevmeasは、候補セルの参照信号受信電力ＲＳＲＰであり、Qrxlevmin及びQrxlevminoffsettは、両方とも、システム情報ブロック( Ｓｙｓｔｅｍ Ｉｎｆｏｒｍａｔｉｏｎ Ｂｌｏｃｋ、ＳＩＢ )内に構成されたセル常駐の最小受信レベルであり、第１のノードが仮想公共陸上移動ネットワーク( Ｖｉｒｔｕａｌ Ｐｕｂｌｉｃ Ｌａｎｄ Ｍｏｂｉｌｅ Ｎｅｔｗｏｒｋ、ＶＰＬＭＮ )セルに常駐する場合にのみQrxlevminoffsetに使用され、Pcompensation=Max（PEMAX−PUMAX，０）、PEMAXは第１のノードの上りに使用可能な最大送信電力であり、PUMAXは第１のノードの最大無線周波数出力電力であり、単位が各々dBである。
【００７４】
セル選択プロセスにおける信号受信品質は、
Squal = Qqualmeas- (Qqualmin + Qqualminoffset) - Pcompensationであり、
ここで、Squal＞０である。Qqualmeasは、候補セルの参照信号受信品質ＲＳＲＱであり、QqualminおよびQqualminoffsetは、セル常駐の最小受信品質値であり、第１のノードがVPLMNセルに常駐している場合にのみQqualminoffsetが使用され、Pcompensation=Max（PEMAX−PUMAX，０）、PEMAXは第１のノードの上りに使用可能な最大送信電力であり、PUMAXは第１のノードの最大無線周波数出力電力であり、単位が各々dBである。
【００７５】
そして、該参照信号受信電力閾値は、Qrxlevmeas= Srxlev+ (Qrxlevmin + Qrxlevminoffset) +Pcompensationと示し、即ち、該参照信号受信電力閾値が複数の成分を含み、該参照信号受信品質閾値は、Squal = Qqualmeas- (Qqualmin + Qqualminoffset) - Pcompensationと示し、即ち、該参照信号受信品質閾値が複数の成分を含む。
【００７６】
任意選択で、第１のノードは、第２のノードを選択した後、自身の階層を決定し、他のノードが自身の階層情報を知るために、自身の階層をブロードキャストする必要がある。
【００７７】
ここで、第１のノードは、第２のノードの階層に基づいて、該第１のノードの階層を決定する。
【００７８】
この第２のノードは、自身の階層情報をブロードキャストすることができ、第１のノードは、第２のノードの階層情報を、第２のノードの上記の情報フィールドの値によって決定することができる。以下のケースがある。
【００７９】
ケース１
該第２のノードの階層が最低階層に達していない場合、該第１のノードの階層が該第２のノードの階層よりも低く、例えば、該第１のノードの階層が該第２のノードの階層よりも１つの階層低い。
【００８０】
ここで、該最低階層とは、各ノードの階層を示す情報フィールドが示す可能な最低階層である。例えば、情報フィールドが８ビットを含む場合、この最低階層の値は２５５であることができ、例えば、アンカーノードに対するノードのホップ数が２５６であることを示すことができる。
【００８１】
例えば、情報フィールドは８ビットであるとする。第２のノードがブロードキャストするその情報フィールド上で表される値が４である場合(例えば、第２のノードがアンカーノードに対してホップ数が５であると考えられ得る)、第１のノードの階層情報は５であると決定され得る(例えば、第１のノードがアンカーノードに対してホップ数が６であると考えられ得る)、その後、第１のノードは、その決定された階層の情報をブロードキャストすることができる。
【００８２】
ケース２
該第２のノードの階層が最低階層に達した場合、該第２のノードの階層を最高階層に更新し、且つ、該第１のノードの階層が構成された該第２のノードの階層よりも低い。
【００８３】
ここで、該最低階層とは、各ノードの階層を示す情報フィールドが示す可能な最低階層であり、該最高階層とは、上記情報フィールドが示す可能な最高階層である。例えば、情報フィールドが８ビットを含む場合、該最低階層の値は２５５であることができ、アンカーノードに対するノードのホップ数が２５６であることを示すことができ、該最高階層の値は０であり得、アンカーノードに対するノードのホップ数が１であることを表し得る。
【００８４】
例えば、情報フィールドは８ビットであるとする。第２のノードがブロードキャストする情報フィールド上で表される値が最大２５５に達した場合、すなわち、情報フィールドによって表される第２のノードの階層が、示す可能な最も低い階層に達した場合(例えば、アンカーノードに対する第２のノードのホップ数が２５６であると考えられ得る)、第２のノードの情報フィールドの値は、０に更新され、すなわち、第２のノードの階層は、最も高い階層に更新され(例えば、アンカーノードに対する第２のノードのホップ数が１であると考えられ得る)、この場合、第１のノードの階層が１であり(例えば、アンカーノードに対する第１のノードのホップ数が２であると考えられ得る)、その後、第１のノードは、その決定された階層の情報をブロードキャストすることができる。
【００８５】
ケース３
前記第２のノードの階層が最低階層に達した場合、前記第１のノードの階層が最高階層であり。
【００８６】
ここで、該最低階層とは、各ノードの階層を示す情報フィールドが示す可能な最低階層であり、該最高階層とは、上記情報フィールドが示す可能な最高階層である。例えば、情報フィールドが８ビットを含む場合、該最低階層の値は２５５であることができ、アンカーノードに対するノードのホップ数が２５６であることを示すことができ、該最高階層の値は０であり得、アンカーノードに対するノードのホップ数が１であることを表し得る。
【００８７】
例えば、この情報フィールドは８ビットであるとする。第２のノードがブロードキャストする情報フィールドで表される値が最大値２５６に達した場合、すなわち、情報フィールドによって表される第２のノードの階層が、示す可能な最も低い階層である場合(例えば、アンカーノードに対する第２のノードのホップ数が２５６であると考えられ得る)、第１のノードの階層情報は０であると決定され得る(例えば、アンカーノードに対する第１のノードのホップ数が１であると考えられ得る)。そして、第１のノードは、決定した階層の情報をブロードキャストすることができる。
【００８８】
ケース４
該第２のノードの階層が最低階層に達した場合、該第１のノードの階層が最低階層である。
【００８９】
ここで、該最低階層とは、各ノードの階層を示す情報フィールドが示す可能な最低階層である。例えば、該情報フィールドが８ビットを含む場合、この該最低階層の値は２５５であることができ、例えば、アンカーノードに対するノードのホップ数が２５６であることを示すことができる。
【００９０】
例えば、この情報フィールドは８ビットであるとする。第２のノードがブロードキャストする情報フィールドで表される値が最大２５５に達した場合、すなわち、情報フィールドによって表される第２のノードの階層が、示す可能な最も低い階層に既に達している場合(例えば、アンカーノードに対する第２のノードのホップ数が２５６であると考えられる)、第１のノードは、その階層を最も低い階層に決定し、すなわち、第１のノードの情報フィールドで値が０であると直接決定し(例えば、アンカーノードに対する第１のノードのホップ数が１であると考えられる)、その後、第１のノードは、その決定された階層の情報をブロードキャストすることができる。このとき、第１のノードの階層と第２のノードの階層は等しく、いずれも最低階層である。
【００９１】
ケース１、ケース２、ケース３において、第１のノードと第２のノードとの間にＵｕインターフェースを介して接続を確立することができ、この時、第１のノードの階層が第２のノードの階層よりも低い。第１のノードは第２のノードの子ノード、第２のノードは第１のノードの親ノードであるとみなすことができる。
【００９２】
ケース４において、第１のノードは、Ｄ２Ｄ ( Ｄｅｖｉｃｅ−ｔｏ−Ｄｅｖｉｃｅ )の方法により第２のノードとの間に接続を確立し得る。このとき、第１のノードの階層と第２のノードの階層とは等しくなる。
【００９３】
任意選択で、第１のノードは、第１のノードと同じ階層の他のノードとの間でＤ２Ｄ方式で接続を確立することもできる。ここで、他のノードは、１つの伝送ノードであってもよいし、複数の伝送ノードであってもよい。
【００９４】
又は、任意選択で、該第１のノードは、前記第１のノードの階層と同じである他のノードと、Ｕｕインターフェースに基づく接続を確立することができる。ここでの他のノードは、１つの伝送ノード又は複数の伝送ノードであっても良い。
【００９５】
ここで、任意選択で、該方法は、さらに、該第１のノードが該第２のノードにより送信された第１の構成情報を受信することを含み、該第１の構成情報は、該第１のノードが該第１のノードの階層と同じである少なくとも１つの他の伝送ノードと、Ｕｕインターフェースに基づく接続を確立するように指示する。そして、該第１のノードは、該第２のノードの該第１の構成情報に基づいて、前記第１のノードの階層と同じである他のノードとＵｕインターフェースに基づく接続を確立する。
【００９６】
この実施例において、任意選択で、第１のノードが該第１のノード階層が同じである他のノードとＵｕインターフェースに基づく接続を確立する時に、優先度に基づいて該接続を確立することができる。
【００９７】
例えば、この第１のノードは、第３のノードと同じ階層であるが、第３のノードよりも優先度が低い。第１のノードの優先度が低いのは、第３のノードの起動時間が第１のノードよりも早い、すなわち、第１のノードの起動時間が第３のノードの起動時間よりも遅いため、第３のノードは、第１のノードよりも先にアンカーノードとの中継接続を確立しているからである。あるいは、第１のノードの優先度が低いのは、ノード内部に予め優先度が設定されているためである。双方のＵｕインターフェースを介して接続を確立する場合、この優先度の低い第１のノードは、第３のノードとの間の接続を確立するために、ユーザデバイス( ＵＥ )側と仮定され得る。
【００９８】
ここで、第１のノードと第３のノードとの間のＵｕインターフェースに基づいて確立される接続は、ネットワーク構成に基づいて確立され得る。例えば、第２のノードは、第１の構成情報を第１のノードに送信して、第１のノードがユーザデバイス( ＵＥ )側であると想定され、第３のノードとの間に接続を確立し、または、第１のノードを基地局( ｇＮＢ )側と想定され、第３のノードとの間で接続を確立する。
【００９９】
任意選択で、該方法は、さらに、該第１のノードは、該第２のノードの階層と同じである少なくとも１つの他の伝送ノードと、Ｕｕインターフェースに基づく接続を確立することを含む。
【０１００】
任意選択で、該方法は、さらに、該第１のノードが該第２のノードにより送信された第２の構成情報を受信することを含み、該第２の構成情報は、該第１のノードが該第２のノードの階層と同じである少なくとも１つの他の伝送ノードと、Ｕｕインターフェースに基づく接続を確立するように指示する。該第１のノードは、該第２のノードの該第２の構成情報に基づいて、該第２のノードの階層と同じである少なくとも１つの他の伝送ノードと、Ｕｕインターフェースに基づく接続を確立する。
【０１０１】
任意選択で、該第１のノードは、上記のステップによって、第２のノード階層と同じである複数の伝送ノードと接続を同時に確立することができる。
【０１０２】
該第１のノードが２２０において第２のノードと接続を確立し、例えば、Ｕｕインターフェースを介して接続を確立した後、該第１のノードは、他の伝送ノードと確立された接続を切断し、又は、他の伝送ノードと確立された接続を保持することができる。
【０１０３】
任意選択で、該少なくとも１つの伝送ノードが該第２のノードの階層と同じであるＮ個の伝送ノードを含む場合、該方法は、さらに、該第１のノードが信号測定を行い、測定結果に基づいて、該Ｎ個の伝送ノードから該第２のノードを決定することを含み、ここで、該第２のノードは、該Ｎ個の伝送ノードのうちの信号測定結果が最高である伝送ノードであり、Ｎが１よりも大きい整数である。
【０１０４】
例えば、第１のノードは、Ｎ個の伝送ノードのうちのＲＳＲＰの測定結果が最高である伝送ノードを該第２のノードとし、又は、該第１のノードは、Ｎ個の伝送ノードＲＳＲＱの測定結果が最高である伝送ノードを該第２のノードとする。
【０１０５】
そこで、本願の実施例では、各伝送ノードが、異なるノードの階層に基づいて適切なノードを選択し、接続の確立を要求することにより、異なる伝送ノード間の接続の確立を実現する。
【０１０６】
図３は、本願の実施例のネットワーク自己組織化の方法の概略的なフローチャートである。図３に示される方法は、ネットワークデバイス又は端末デバイスであり得る第２のノードによって実行され得る。この第２のノードは、例えば、図１のいずれかの伝送ノードである。図３に示すように、このネットワーク自己組織化の方法は以下のステップを含む。
【０１０７】
３１０において、第２のノードが第１のノードにより送信された接続確立要求メッセージを受信する。
【０１０８】
３２０において、該第２のノードは、該接続確立要求メッセージに応じて、該第２のノードの階層に基づいて該第１のノードと接続を確立するかどうかを決定する。
【０１０９】
ここで、伝送ノードの階層が高いほど、伝送ノードとアンカーノードとのホップ数が少ないことを示す。
【０１１０】
任意選択で、第２のノードの階層情報は、１つの情報フィールドで示す。
【０１１１】
例えば、情報フィールドが８ビットで構成される場合、合計２５６の階層を表すことができ、情報フィールドの値が小さいほど、伝送ノードの階層が高く、すなわち、アンカーノードに対するホップ数が少ないことを示す。そして、情報フィールドの値が０である場合、第２のノードがアンカーノードに対して１のホップ数を有することを示すことができ、この情報フィールドの値が２５５である場合、この第２のノードのアンカーノードに対するホップ数は２５６であることを示すことができる。または、情報フィールドの値が０である場合、この伝送ノードがアンカーノードであることを示し、この情報フィールドの値が２５５である場合、アンカーノードに対する伝送ノードのホップ数が２５５であることを示すことができる。
【０１１２】
任意選択で、この第２のノードは、最低階層に到達した場合、第１のノードとの間のＵｕインターフェースに基づく接続の確立を拒否することを決定する。すなわち、第２のノードの階層が最低階層に達している場合には、他のノードのＵｕインターフェースによる接続を受け付けないようにしてもよい。しかしながら、第２のノードが他の方法、例えばＤ２Ｄ方法により他のノードとの間に接続を確立する可能性を排除するものではない。
【０１１３】
任意選択で、該第２のノードの階層が最低階層に達していない場合、該第２のノードは、該第１のノードと接続を確立すると決定する。この時、該第１のノードの階層が該第２のノードの階層よりも低い。ここで、該第２のノードは、Ｕｕインターフェースを介しいて該第１のノードと中継接続を確立することができる。
【０１１４】
任意選択で、該第２のノードの階層が最低階層に達した場合、第２のノードは、該第２のノードの階層を最高階層に更新し、該第１のノードと接続を確立すると決定する。この時、該第１のノードの階層が更新された該第２のノードの階層よりも低い。ここで、該第２のノードは、Ｕｕインターフェースを介して該第１のノードと中継接続を確立することができる。
【０１１５】
任意選択で、該第２のノードの階層が最低階層に達した場合、該第２のノードは、該第１のノードと接続を確立すると決定する。この時、該第１のノードの階層が最高階層である。該最低階層は、各ノードの階層を示す情報フィールドが示すことができる最低階層であり、該最高階層は、該情報フィールドが示すことができる最高階層である。
【０１１６】
任意選択で、該第２のノードの階層が最低階層に達した場合、該第２のノードは、該第１のノードと、デバイス間Ｄ２Ｄで接続を確立すると決定する。この時、該第１のノードの階層が第２のノードの階層と同じであり、いずれも該最低階層である。
【０１１７】
ここで、上記の最低階層とは、各ノードを表す情報フィールドが表すことができる最低階層である。上記最高階層とは、各ノードを表す情報フィールドが示す可能な最高階層である。例えば、情報フィールドが８ビットを含む場合、最低階層の値は２５５であり得、例えば、アンカーノードに対するノードのホップ数が２５６であることを示し、最高階層の値は、０であってもよく、たとえば、アンカーノードに対するノードのホップ数が１であることを示してもよい。
【０１１８】
第２のノードは、第１のノードとの接続を確立した後、第２のノードの階層をブロードキャストして、第２のノードの階層情報を他のノードに知らせることができる。
【０１１９】
これにより、各ノードは、自身の階層に応じて他のノードとの間で接続を確立するか否かを決定し、異なる伝送ノード間で接続を確立する。
【０１２０】
なお、第２のノードが接続を確立するプロセスの具体的な詳細は、第１のノードについての前述の図２の説明を参照することができ、簡潔のためにここで説明を省略する。
【０１２１】
図４は本願の実施例におけるノードデバイス４００のブロック図である。該ノードデバイスが第１のノードデバイスである。図４に示すように、該第１のノードデバイス４００は、決定ユニット４１０及び処理ユニット４２０を含む。
【０１２２】
決定ユニット４１０は、所定条件に基づいて、少なくとも１つのノードデバイスから第２のノードデバイスを決定するように構成され、前記第２のノードデバイスが前記少なくとも１つのノードデバイスのうちの階層最高のノードデバイスであり、ここで、ノードデバイスの階層が高いほど、ノードデバイスとアンカーノードとのホップ数が少ないことを示す。
【０１２３】
処理ユニット４２０は、前記決定ユニット４１０により決定された前記第２のノードデバイスと接続を確立するように構成される。
【０１２４】
これにより、各伝送ノードは、異なるノードの階層に基づき適切なノードを選択して接続を要求することで、異なる伝送ノード間の接続を確立することができる。
【０１２５】
任意選択で、前記第１のノードデバイスが測定ユニットをさらに含み、前記測定ユニットは、信号測定を行うように構成され、前記決定ユニット４１０は、さらに、測定結果が予め設定された閾値よりも高いノードデバイスを前記少なくとも１つのノードデバイスとして決定するように構成される。
【０１２６】
任意選択で、前記測定結果は、参照信号受信電力ＲＳＲＰ、及び／又は、参照信号受信品質ＲＳＲＱの測定結果である。
【０１２７】
任意選択で、前記予め設定された閾値は、セル選択又は再選択プロセスの参照信号受信電力閾値、及び／又は、セル選択又は再選択プロセスの参照信号受信品質閾値である。
【０１２８】
任意選択で、前記第１のノードデバイスが受信ユニットをさらに含み、受信ユニットは、構成情報を受信するように構成され、前記構成情報は、前記予め設定された閾値を示す。
【０１２９】
任意選択で、前記第１のノードデバイスが取得ユニットをさらに含み、取得ユニットは、前記第１のノードデバイスに予め記憶された、前記予め設定された閾値を取得するように構成される。
【０１３０】
任意選択で、前記処理ユニット４２０は、具体的に、前記第２のノードの階層が最低階層に達していない場合、前記第１のノードがＵｕインターフェースに基づく接続を前記第２のノードと確立することを含み、ここで、前記最低階層は、各ノードデバイスの階層を示す情報フィールドが示すことができる最低階層である。
【０１３１】
任意選択で、前記第１のノードデバイスが送信ユニットをさらに含み、送信ユニットは、前記第１のノードデバイスの階層をブロードキャストするように構成される。
【０１３２】
任意選択で、前記第２のノードデバイスの階層が最低階層に達していない場合、前記第１のノードデバイスの階層が前記第２のノードデバイスの階層よりも低く、ここで、前記最低階層は、各ノードデバイスの階層を示す情報フィールドが示すことができる最低階層である。
【０１３３】
任意選択で、前記第２のノードの階層が最低階層に達した場合、前記第１のノードの階層が最高階層であり、ここで、前記最低階層は、各ノードデバイスの階層を示す情報フィールドが示すことができる最低階層であり、前記最高階層は、前記情報フィールドが示すことができる最高階層である。
【０１３４】
任意選択で、前記第２のノードデバイスの階層が最低階層に達した場合、前記第２のノードデバイスの階層を最高階層に更新し、前記第１のノードデバイスの階層が更新された前記第２のノードデバイスの階層よりも低く、ここで、前記最低階層は、各ノードデバイスの階層を示す情報フィールドが示すことができる最低階層であり、前記最高階層は、前記情報フィールドが示すことができる最高階層である。
【０１３５】
任意選択で、前記処理ユニット４２０は、具体的に、Ｕｕインターフェースを介して前記第２のノードデバイスと接続を確立するように構成される。
【０１３６】
任意選択で、前記第２のノードデバイスの階層が最低階層に達した場合、前記第１のノードデバイスの階層が最低階層であり、ここで、前記最低階層は、各ノードデバイスの階層を示す情報フィールドが示すことができる最低階層である。
【０１３７】
任意選択で、前記処理ユニット４２０は、具体的に、Ｄ２Ｄで前記第２のノードデバイスと接続を確立するように構成される。
【０１３８】
任意選択で、前記処理ユニット４２０は、さらに、前記第１のノードの階層と同じである他の少なくとも１つのノードデバイスと、Ｄ２Ｄで接続を確立するように構成される。
【０１３９】
任意選択で、前記処理ユニット４２０は、さらに、前記第１のノードの階層と同じである少なくとも１つの他のノードデバイスと、Ｕｕインターフェースに基づく接続を確立するように構成される。
【０１４０】
任意選択で、前記第１のノードデバイスが受信ユニットをさらに含み、受信ユニットは前記第２のノードにより送信された第１の構成情報を受信するように構成され、前記第１の構成情報は、前記第１のノードが、前記第１のノードの階層と同じである少なくとも１つの他の伝送ノードと、Ｕｕインターフェースに基づく接続を確立するように指示する。任意選択で、前記処理ユニット４２０は、さらに、他のノードデバイスと確立された接続を切断するように構成される。
【０１４１】
任意選択で、前記処理ユニット４２０は、さらに、前記第２のノードの階層と同じである少なくとも１つの他の伝送ノードと、Ｕｕインターフェースに基づく接続を確立するように構成される。
【０１４２】
任意選択で、前記第１のノードデバイスが受信ユニットをさらに含み、受信ユニットは、前記第２のノードにより送信された第２の構成情報を受信するように構成され、前記第２の構成情報は、前記第１のノードが、前記第２のノードの階層と同じである少なくとも１つの他の伝送ノードと、Ｕｕインターフェースに基づく接続を確立するように指示する。
【０１４３】
任意選択で、前記処理ユニット４２０は、さらに、前記第１のノードデバイス他のノードデバイスと確立された接続を保持するように構成される。
【０１４４】
任意選択で、前記第１のノードデバイスが測定ユニットをさらに含み、測定ユニットは、前記少なくとも１つのノードデバイスが前記第２のノードデバイスの階層と同じであるＮ個のノードデバイスを含む場合、
信号測定を行うように構成され、
前記決定ユニット４１０は、具体的に、測定結果に応じて、前記Ｎ個のノードデバイスから前記第２のノードデバイスを決定するように構成され、ここで、前記第２のノードデバイスは、前記Ｎ個のノードデバイスのうちの信号測定結果が最高である伝送ノードである。
【０１４５】
なお、第１のノードデバイス４００は、方法２００における第１のノードに対応してもよく、方法２００における第１のノード実装の動作は、簡潔のために、ここでは説明を省略する。
【０１４６】
図５は本願の実施例におけるノードデバイス５００のブロック図である。該ノードデバイスが第２のノードデバイスである。図５に示すように、該第２のノードデバイス５００は、受信ユニット５１０及び決定ユニット５２０を含む。
【０１４７】
受信ユニット５１０は、第１のノードデバイスにより送信された接続確立要求メッセージを受信するように構成される。
【０１４８】
決定ユニット５２０は、前記接続確立要求メッセージに応じて、前記第２のノードデバイスの階層に基づいて前記第１のノードデバイスと接続を確立するかどうかを決定するように構成され、ここで、ノードデバイスの階層が高いほど、ノードデバイスとアンカーノードデバイスとのホップ数が少ないことを示す。
【０１４９】
これにより、各ノードは、自身の階層に応じて他のノードとの間で接続を確立するか否かを決定し、異なる伝送ノード間で接続を確立する。
【０１５０】
任意選択で、前記決定ユニット５２０は、具体的に、前記第２のノードデバイスの階層が最低階層に達した場合、前記第１のノードデバイスとのＵｕインターフェースに基づく接続の確立を拒絶すると決定するように構成され、ここで、前記最低階層は、各ノードデバイスの情報フィールドが示すことができる最低階層である。
【０１５１】
任意選択で、前記決定ユニット５２０は、具体的に、前記第２のノードデバイスの階層が最低階層に達していない場合、前記第１のノードデバイスと接続を確立すると決定するように構成され、前記第１のノードデバイスの階層が前記第２のノードデバイスの階層よりも低く、ここで、前記第１のノードデバイスの階層が前記第２のノードデバイスの階層よりも低く、前記最低階層は、各ノードデバイスの情報フィールドが示すことができる最低階層である。
【０１５２】
任意選択で、前記決定ユニット５２０は、具体的に、前記第２のノードデバイスの階層が最低階層に達した場合、前記第２のノードデバイスの階層を最高階層に更新し、前記第１のノードデバイスと接続を確立すると決定するように構成され、前記第１のノードデバイスの階層が更新された前記第２のノードデバイスの階層よりも低く、ここで、前記最低階層は、各ノードデバイスの情報フィールドが示すことができる最低階層であり、前記最高階層は、前記情報フィールドが示すことができる最高階層である。
【０１５３】
任意選択で、前記決定ユニット５２０は、具体的に、前記第２のノードの階層が最低階層に達した場合、前記第２のノードが前記第１のノードと接続を確立すると決定するように構成され、ここで、前記第１のノードの階層が最高階層であり、前記最低階層は、各ノードの階層を示す情報フィールドが示すことができる最低階層であり、前記最高階層は、前記情報フィールドが示すことができる最高階層である。
【０１５４】
任意選択で、前記第２のノードデバイスが処理ユニットをさらに含み、処理ユニットは、Ｕｕインターフェースを介して前記第１のノードデバイスと接続を確立するように構成される。
【０１５５】
任意選択で、前記決定ユニット５２０は、具体的に、前記第２のノードデバイスの階層が最低階層に達した場合、デバイス間Ｄ２Ｄで前記第１のノードデバイスと接続を確立すると決定するように構成され、ここで、前記第１のノードデバイスの階層が前記最低階層であり、前記最低階層は、各ノードデバイスの階層を示す情報フィールドが示すことができる最低階層である。
【０１５６】
任意選択で、前記第２のノードデバイスが送信ユニットをさらに含み、送信ユニットは、前記第２のノードデバイスの階層をブロードキャストするように構成される。
【０１５７】
任意選択で、前記第１のノードデバイスが送信ユニットをさらに含み、送信ユニットは、前記第１のノードデバイスに第１の構成情報を送信するように構成され、前記第１の構成情報は、前記第１のノードデバイスが前記第１のノードデバイスの階層と同じである少なくとも１つの他のノードデバイスと、Ｕｕインターフェースに基づく接続を確立するように指示する。
【０１５８】
任意選択で、前記第１のノードデバイスが送信ユニットをさらに含み、送信ユニットは、前記第１のノードデバイスに第２の構成情報を送信するように構成され、前記第２の構成情報は、前記第１のノードデバイスが前記第２のノードデバイスの階層と同じである少なくとも１つの他のノードデバイスと、Ｕｕインターフェースに基づく接続を確立するように指示する。
【０１５９】
なお、第２のノードデバイス５００は、方法３００における第２のノードに対応してもよく、方法３００における第２のノード実装の動作は、簡潔のためにここでは説明を省略する。
【０１６０】
図６は、本願の実施例に係る通信デバイス６００の概略構成図である。図６に示すように、通信デバイスは、プロセッサ６１０、送受信機６２０、及びメモリ６３０を備え、プロセッサ６１０、送受信機６２０、及びメモリ６３０は、内部接続経路を介して互いに通信する。メモリ６３０は、命令を記憶するために使用され、プロセッサ６１０は、送受信機６２０を制御して信号を受信または送信するためにメモリ６３０によって記憶された命令を実行するために使用される。
【０１６１】
任意選択で、プロセッサ６１０は、メモリ６３０に記憶されたプログラムコードを呼び出して、方法の実施例における第１のノードによって実行される方法２００の対応する動作を実行してもよく、簡潔にするために、ここでは詳しい説明を省略する。
【０１６２】
任意選択で、プロセッサ６１０は、メモリ６３０に記憶されたプログラムコードを呼び出し、方法の実施例における第２のノードによって実行される方法３００の対応する動作を実行してもよく、簡潔にするために、ここでは詳しい説明を省略する。
【０１６３】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１６４】
本願の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１６５】
図７は、本願の実施例におけるシステムチップの概略構成図である。図７のシステムチップ７００は、入力インターフェース７０１、出力インターフェース７０２、少なくとも１つのプロセッサ７０３、及びメモリ７０４を含み、前記入力インターフェース７０１、出力インターフェース７０２、前記プロセッサ７０３、及びメモリ７０４の間は、内部接続経路によって相互接続される。プロセッサ７０３は、メモリ７０４内でコードを実行するために使用される。
【０１６６】
任意選択で、コードが実行されると、プロセッサ７０３は、方法の実施例において第１のノードによって実行される方法２００を実装することができる。簡潔にするために、ここでは説明を省略する。
【０１６７】
任意選択で、コードが実行されると、プロセッサ７０３は、方法の実施例において第２のノードによって実行される方法３００を実装することができる。簡潔にするために、ここでは説明を省略する。
【０１６８】
なお、本願の実施例において、「Ａに対応するＢ」とは、ＡにＢが対応付けられていることを意味し、Ａに応じてＢが決定されてもよい。ＡからＢを決定することは、ＡのみからＢを決定することを意味するのではなく、Ａおよび/または他の情報からＢを決定することもできる。
【０１６９】
また、本明細書における「及び/又は」という用語は、単に関連オブジェクトを記述する関連関係の１つであり、Ａ及び/又はＢのような３つの関係が存在し得ることを意味し、Ａのみ、ＡとＢの両方、Ｂのみの３つの場合が存在し得ることを意味する。なお、本文中の「/」の文字は、前後の関連オブジェクトが一種の「または」の関係であることを一般的に示す。
【０１７０】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１７１】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１７２】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１７３】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１７４】
また、本願の各実施例における各機能部は、一つの監視ユニットに集積されてもよく、各ユニットが物理的に別個に存在してもよく、二つ以上のユニットが一つのユニットに集積されてもよい。
【０１７５】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバ、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、Ｕ字ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１７６】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【図１】
2021515429.tif 000003
【図２】
2021515429.tif 000004
【図３】
2021515429.tif 000005
【図４】
2021515429.tif 000006
【図５】
2021515429.tif 000007
【図６】
2021515429.tif 000008
【図７】
2021515429.tif 000009
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
第１のノードが所定条件に基づいて、少なくとも１つの伝送ノードから第２のノードを決定することと、
前記第１のノードが前記第２のノードと接続を確立することとを含み、
前記第２のノードが前記少なくとも１つの伝送ノードのうちの階層最高の伝送ノードであり、伝送ノードの階層が高いほど、伝送ノードとアンカーノードとのホップ数が少ないことを示す
ことを特徴とするネットワーク自己組織化の方法。
【請求項２】
前記第１のノードが所定条件に基づいて、少なくとも１つの伝送ノードから第２のノードを決定する前に、前記方法は、さらに、
前記第１のノードが信号測定を行い、測定結果が予め設定された閾値よりも高い伝送ノードを前記少なくとも１つの伝送ノードとして決定することを含む
ことを特徴とする請求項１に記載のネットワーク自己組織化の方法。
【請求項３】
前記測定結果は、参照信号受信電力ＲＳＲＰ、及び／又は、参照信号受信品質ＲＳＲＱの測定結果である
ことを特徴とする請求項２に記載のネットワーク自己組織化の方法。
【請求項４】
前記予め設定された閾値は、セル選択又は再選択プロセスの参照信号受信電力閾値、及び／又は、セル選択又は再選択プロセスの参照信号受信品質閾値である
ことを特徴とする請求項２又は３に記載のネットワーク自己組織化の方法。
【請求項５】
前記第１のノードが所定条件に基づいて、少なくとも１つの伝送ノードから第２のノードを決定する前に、前記方法は、さらに、
前記第１のノードは、前記予め設定された閾値を示す構成情報を受信すること、
又は、
前記第１のノードは、前記第１のノードに予め記憶された、前記予め設定された閾値を取得することを含む
ことを特徴とする請求項２〜４のいずれか１項に記載のネットワーク自己組織化の方法。
【請求項６】
前記第１のノードが前記第２のノードと接続を確立することは、
前記第２のノードの階層が最低階層に達していない場合、前記第１のノードがＵｕインターフェースに基づく接続を前記第２のノードと確立することを含み、
前記最低階層は、各ノードの階層を示す情報フィールドが示すことができる最低階層である
ことを特徴とする請求項１〜５のいずれか１項に記載のネットワーク自己組織化の方法。
【請求項７】
前記方法は、さらに、前記第１のノードが前記第１のノードの階層をブロードキャストすることを含む
ことを特徴とする請求項１〜６のいずれか１項に記載のネットワーク自己組織化の方法。
【請求項８】
前記第２のノードの階層が最低階層に達していない場合、前記第１のノードの階層が前記第２のノードの階層よりも低く、
前記最低階層は、各ノードの階層を示す情報フィールドが示すことができる最低階層であり
又は、
前記第２のノードの階層が最低階層に達した場合、前記第２のノードの階層を最高階層に更新し、前記第１のノードの階層が更新された前記第２のノードの階層よりも低く、
前記最低階層は、各ノードの階層を示す情報フィールドが示すことができる最低階層であり、前記最高階層は、前記情報フィールドが示すことができる最高階層であり
又は、
前記第２のノードの階層が最低階層に達した場合、前記第１のノードの階層が最高階層であり、
前記最低階層は、各ノードの階層を示す情報フィールドが示すことができる最低階層であり、前記最高階層は、前記情報フィールドが示すことができる最高階層である
ことを特徴とする請求項７に記載のネットワーク自己組織化の方法。
【請求項９】
前記第１のノードが前記第２のノードと接続を確立することは、
前記第１のノードがＵｕインターフェースを介して前記第２のノードと接続を確立することを含む
ことを特徴とする請求項８に記載のネットワーク自己組織化の方法。
【請求項１０】
前記第２のノードの階層が最低階層に達した場合、前記第１のノードの階層が最低階層であり、
前記最低階層は、各ノードの階層を示す情報フィールドが示すことができる最低階層である
ことを特徴とする請求項７に記載のネットワーク自己組織化の方法。
【請求項１１】
前記方法は、さらに、
前記第１のノードが、前記第１のノードの階層と同じである少なくとも１つの他の伝送ノードと、Ｕｕインターフェースに基づく接続を確立すること、
又は、
前記第１のノードが、前記第２のノードの階層と同じである少なくとも１つの他の伝送ノードと、Ｕｕインターフェースに基づく接続を確立することを含む
ことを特徴とする請求項１〜１０のいずれか１項に記載のネットワーク自己組織化の方法。
【請求項１２】
前記方法は、さらに、
前記第１のノードが前記第２のノードにより送信された第１の構成情報を受信することを含み、前記第１の構成情報は、前記第１のノードが、前記第１のノードの階層と同じである少なくとも１つの他の伝送ノードと、Ｕｕインターフェースに基づく接続を確立するように指示する
ことを特徴とする請求項１１に記載のネットワーク自己組織化の方法。
【請求項１３】
前記方法は、さらに、
前記第１のノードが前記第２のノードにより送信された第２の構成情報を受信することを含み、前記第２の構成情報は、前記第１のノードが、前記第２のノードの階層と同じである少なくとも１つの他の伝送ノードと、Ｕｕインターフェースに基づく接続を確立するように指示する
ことを特徴とする請求項１１に記載のネットワーク自己組織化の方法。
【請求項１４】
前記少なくとも１つの伝送ノードが前記第２のノードの階層と同じであるＮ個の伝送ノードをさらに含む場合、前記方法は、さらに、
前記第１のノードが信号測定を行い、測定結果に基づいて、前記Ｎ個の伝送ノードから前記第２のノードを決定することを含み、
前記第２のノードは、前記Ｎ個の伝送ノードのうちの信号測定結果が最高である伝送ノードである
ことを特徴とする請求項１〜１３のいずれか１項に記載のネットワーク自己組織化の方法。
【請求項１５】
決定ユニットと処理ユニットと、を備え、第１のノードデバイスとするノードデバイスであって、
前記決定ユニットは、所定条件に基づいて、少なくとも１つのノードデバイスから第２のノードデバイスを決定するように構成され、前記第２のノードデバイスが前記少なくとも１つのノードデバイスのうちの階層最高のノードデバイスであり、ノードデバイスの階層が高いほど、ノードデバイスとアンカーノードデバイスとのホップ数が少ないことを示し、
前記処理ユニットは、前記決定ユニットにより決定された前記第２のノードデバイスと接続を確立するように構成される
ことを特徴とするノードデバイス。
【国際調査報告】
2021515429.tif 000010
2021515429.tif 000011
2021515429.tif 000012
2021515429.tif 000013